(57)【要約】  本発明の実施形態によるディスプレイユニットの製造方法は、光学フィルムを準備するステップ、光学フィルム上に第１整列マークを形成するステップ、第１整列マークの位置を基に光学フィルム上に予め定められた閉曲線レイアウトに対応する裁断ラインを形成するステップ、第２整列マークが形成されたパネルを準備するステップ、第１整列マークおよび第２整列マークの位置を基に光学フィルムおよびパネルのうち少なくともいずれか一つを他の一つに整列させるステップ、および裁断ラインが形成された加工後の光学フィルムをパネルにラミネートするステップを含む。
2021500633.tif 000002
【特許請求の範囲】
【請求項１】
光学フィルムを準備するステップ、
前記光学フィルム上に第１整列マークを形成するステップ、
前記第１整列マークの位置を基に前記光学フィルム上に予め定められた閉曲線レイアウトに対応する裁断ラインを形成するステップ、
第２整列マークが形成されたパネルを準備するステップ、
前記第１整列マークおよび前記第２整列マークの位置を基に光学フィルムおよびパネルのうち少なくともいずれか一つを他の一つに整列させるステップ、および
前記裁断ラインが形成された加工後の光学フィルムを前記パネルにラミネートするステップ
を含む、ディスプレイユニットの製造方法。
【請求項２】
前記光学フィルムは、偏光フィルムと、前記偏光フィルムの一面側に配置される表面保護フィルムと、前記偏光フィルムの他面側に配置されるキャリアフィルムと、を備える、請求項１に記載のディスプレイユニットの製造方法。
【請求項３】
前記裁断ラインは、前記キャリアフィルムは残しておき、前記表面保護フィルムおよび前記偏光フィルムを切断して形成される、請求項２に記載のディスプレイユニットの製造方法。
【請求項４】
前記第１整列マークは、前記表面保護フィルムおよび前記キャリアフィルムのいずれか一つに形成される、請求項２または請求項３に記載のディスプレイユニットの製造方法。
【請求項５】
前記第１整列マークは前記キャリアフィルムに形成される、請求項４に記載のディスプレイユニットの製造方法。
【請求項６】
前記ラミネートは、前記加工後の光学フィルムから前記キャリアフィルムを剥離した後に行われる、請求項５に記載のディスプレイユニットの製造方法。
【請求項７】
前記パネルのレイアウトおよび前記裁断ラインは非線形ラインを含む、請求項１〜請求項６のいずれか一項に記載のディスプレイユニットの製造方法。
【請求項８】
前記パネルのレイアウトおよび前記裁断ラインは非線形ラインのみからなる、請求項７に記載のディスプレイユニットの製造方法。
【請求項９】
前記第１整列マークを形成するステップにおいては、少なくとも２個の第１整列マークを形成する、請求項８に記載のディスプレイユニットの製造方法。
【請求項１０】
前記裁断ラインによって囲まれる内部は前記第１整列マークを含まない、請求項１〜請求項９のいずれか一項に記載のディスプレイユニットの製造方法。
【発明の詳細な説明】
【技術分野】
【０００１】
本発明は、パネルにフィルムをラミネートしてディスプレイユニットを製造するディスプレイユニットの製造方法に関する。
【背景技術】
【０００２】
ディスプレイユニットは、パネル面上に偏光子を含む光学フィルムを貼り付けて製造される。パネルとしては、液晶層を備える液晶パネル、ＯＬＥＤ層を備える有機ＥＬパネルが用いられることができる。
【０００３】
一般に、ディスプレイユニットに用いられるパネルのレイアウトは四角形、特に長方形の形状である。
【０００４】
一方、四角形の形状のレイアウトを有するパネルには、そのレイアウトに対応する四角形の形状のレイアウトを有する光学フィルムを貼り付ける。
【０００５】
この時、パネルおよび光学フィルムは、互いに貼り付ける前に互いのレイアウトが相互対応するように位置を整列させる工程が必要であり、パネルおよび光学フィルムのレイアウトがいずれも四角形の形状を有するため、別途の整列マークが付与されていない光学フィルムを用いても、光学フィルムの少なくとも２個の頂点と、パネルに付与されている整列マークまたはパネルの頂点との位置関係を予め定められた位置関係と一致するようにパネルおよび／または光学フィルムの姿勢を整列させることができる。
【０００６】
しかし、最近になっては、ディスプレイユニットの形状が単純な四角形乃至長方形の形状を有しない、すなわち、非線形ラインを含むレイアウトを有したりもするため、前述したような整列方式は好適ではない。
【０００７】
前述した背景技術は、発明者が本発明の実施形態を導出するために保有していたかまたは導出過程で習得した技術情報であって、必ずしも本発明の実施形態の出願前に一般公衆に公開された公知技術であるとは言えない。
【発明の概要】
【発明が解決しようとする課題】
【０００８】
本発明の実施形態は、非線形ラインを含むレイアウトのパネルおよび光学フィルムを整列してパネルに光学フィルムをラミネートできるディスプレイユニットの製造方法を提供する。
【課題を解決するための手段】
【０００９】
本発明の実施形態によるディスプレイユニットの製造方法は、光学フィルムを準備するステップ、前記光学フィルム上に第１整列マークを形成するステップ、前記第１整列マークの位置を基に前記光学フィルム上に予め定められた閉曲線レイアウトに対応する裁断ラインを形成するステップ、第２整列マークが形成されたパネルを準備するステップ、前記第１整列マークおよび前記第２整列マークの位置を基に光学フィルムおよびパネルのうち少なくともいずれか一つを他の一つに整列させるステップ、および前記裁断ラインが形成された加工後の光学フィルムを前記パネルにラミネートするステップを含む。
【００１０】
本発明の実施形態において、前記光学フィルムは、偏光フィルムと、前記偏光フィルムの一面側に配置される表面保護フィルムと、前記偏光フィルムの他面側に配置されるキャリアフィルムと、を備えてもよい。
【００１１】
本発明の実施形態において、前記裁断ラインは、前記キャリアフィルムは残しておき、前記表面保護フィルムおよび前記偏光板を切断して形成されてもよい。
【００１２】
本発明の実施形態において、前記第１整列マークは、前記表面保護フィルムおよび前記キャリアフィルムのいずれか一つに形成されてもよい。
【００１３】
本発明の実施形態において、前記第１整列マークは前記キャリアフィルムに形成されてもよい。
【００１４】
本発明の実施形態において、前記ラミネートは、前記加工後の光学フィルムから前記キャリアフィルムを剥離した後に行われてもよい。
【００１５】
本発明の実施形態において、前記パネルのレイアウトおよび前記裁断ラインは非線形ラインを含んでもよい。
【００１６】
本発明の実施形態において、前記パネルのレイアウトおよび前記裁断ラインは非線形ラインのみからなってもよい。
【００１７】
本発明の実施形態において、前記第１整列マークを形成するステップにおいては、少なくとも２個の第１整列マークを形成してもよい。
【００１８】
本発明の実施形態において、前記裁断ラインによって囲まれる内部は前記第１整列マークを含まないことが好ましい。
【発明の効果】
【００１９】
本発明の実施形態によるディスプレイユニットの製造方法は、光学フィルム上に第１整列マークを形成した後、第１整列マークを基に光学フィルム上に予め定められた閉曲線レイアウトに対応する裁断ラインを形成するため、光学フィルム上で第１整列マークに対して一定の位置に裁断ラインが形成されると同時に、第１整列マークと第２整列マークを基に裁断ラインにより特定される、ラミネートしようとする光学フィルム領域とパネルを互いに整列することができるため、ラミネート前の非線形ラインを含むレイアウトを有するパネルと裁断ラインが形成された加工後の光学フィルムとを容易に整列することができる。
【図面の簡単な説明】
【００２０】
【図１】本発明の一実施形態によるパネル、光学フィルムおよびディスプレイユニットの平面模式図である。
【図２】本発明の一実施形態によるディスプレイユニットの製造方法に用いられる光学フィルムの積層構造の断面模式図である。
【図３】本発明の一実施形態によるディスプレイユニットの製造方法の工程流れを説明するためのブロック図である。
【図４】本発明の一実施形態により光学フィルムに第１整列マークを形成する様々な例に対する模式図である。
【図５】本発明の一実施形態により光学フィルムに裁断ラインを形成する一例の模式図である。
【図６】本発明の一実施形態により光学フィルムおよびパネルを整列させ、光学フィルムをパネルにラミネートする過程の一例を説明するための模式図である。
【図７】本発明の他の実施形態により光学フィルムに第１整列マークを形成する一例に対する模式図である。
【図８】本発明の他の実施形態により光学フィルムに裁断ラインを形成する一例の模式図である。
【図９】本発明の他の実施形態により光学フィルムおよびパネルを整列させ、光学フィルムをパネルにラミネートする過程の一例を説明するための模式図である。
【発明を実施するための形態】
【００２１】
本発明は、添付した図面と共に詳細に後述している実施形態を参照すればより明らかになるものであろう。但し、本発明は以下にて開示される実施形態に限定されるものではなく互いに異なる様々な形態に実現できるものであり、本実施形態は単に本発明の開示が完全になるようにし、本発明が属する技術分野における通常の知識を有する者に発明の範疇を完全に知らせるために提供されるものであり、本発明は請求項の範疇によって定義されるのみである。一方、本明細書で用いられた用語は、実施形態を説明するためのものであって、本発明を制限しようとするものではない。本明細書において、単数型は、特に言及しない限り複数型も含む。明細書で用いられる「含む（ｃｏｍｐｒｉｓｅｓ）」および／または「含む（ｃｏｍｐｒｉｓｉｎｇ）」に言及された構成要素、ステップ、動作および／または素子は、一つ以上の他の構成要素、ステップ、動作および／または素子の存在または追加を排除するものではない。第１、第２などの用語は様々な構成要素を説明するのに用いられるが、構成要素は用語によって限定してはならない。用語は、一つの構成要素を他の構成要素から区別する目的にのみ用いられる。
【００２２】
以下では、添付図面を参照して本発明について詳しく説明する。
【００２３】
図１は、本発明の一実施形態によるパネル、光学フィルムおよびディスプレイユニットの平面模式図であり、図２は、本発明の一実施形態によるディスプレイユニットの製造方法に用いられる光学フィルムの積層構造の断面模式図である。
【００２４】
ディスプレイユニット１０ａ、１０ｂは、パネル１１ａ、１１ｂに光学フィルム１２ａ、１２ｂがラミネートされた構造を有することができる。
【００２５】
パネル１１ａ、１１ｂとしては、液晶層を備える液晶パネルまたはＯＬＥＤ層を備える有機ＥＬパネルなどが用いられることができるが、これらに制限されるものではない。
【００２６】
パネル１１ａ、１１ｂの一例として液晶パネルが用いられる場合には、後述する光学フィルム１２ａ、１２ｂがパネル１１ａ、１１ｂの両面に各々ラミネートでき、パネル１１ａ、１１ｂの他例として有機ＥＬパネルが用いられる場合には、後述する光学フィルム１２ａ、１２ｂがパネル１１ａ、１１ｂの一面にのみラミネートできる。
【００２７】
一方、本発明の一実施形態によるディスプレイユニット１０ａ、１０ｂは、非線形ラインを含むレイアウトを有することができる。本明細書において、「非線形ラインを含むレイアウト」という用語は、レイアウトが直線区間の組み合わせのみからなるものではなく曲線区間も含むことができ、または曲線のみからなることができるものを意味する。例えば、ディスプレイユニット１０ａ、１０ｂは、図１に示すように、非線形ラインのみからなるレイアウトを有してもよく、図２に示すように、直線ラインおよび非線形ラインをいずれも含むレイアウトを有してもよい。この時、図１および図２に示されたようなディスプレイユニット１０ａ、１０ｂを製造するためには、パネル１１ａ、１１ｂも非線形ラインを含むレイアウトを有しなければならず、裁断などによって加工された光学フィルム１２ａ、１２ｂも非線形ラインを含むレイアウトを有しなければならない。
【００２８】
光学フィルム１２は、偏光フィルム１２１と、偏光フィルムの一面側に配置される表面保護フィルム１２２と、偏光フィルム１２１の他面側に配置されるキャリアフィルム１２３と、を含むことができる。
【００２９】
偏光フィルム１２１は、予め定められた方向に吸収軸が配向している偏光板を含むことができる。さらに、偏光板の上下部には、各々、偏光板を支持するための支持基材（図示せず）が配置されることができる。
【００３０】
表面保護フィルム１２２は、偏光フィルム１２１のパネルと対向してラミネートされる面とは反対側である一面側に粘着層１２４と共に配置され、偏光フィルム１２１の一面が外部衝撃などによって破損するのを保護することができる。
【００３１】
キャリアフィルム１２３は、偏光フィルム１２１がパネルにラミネートされるように粘着層１２５が介在した偏光フィルム１２１の他面側に配置されることができる。このようなキャリアフィルム１２３は、偏光フィルム１２１がパネルにラミネートされる前に偏光フィルム１２１の他面側から剥離されることができる。
【００３２】
一方、光学フィルム１２は、ディスプレイユニットの製造方法において、長さ方向に長く延びる光学フィルム原反が巻き取られた光学フィルムロール（図示せず）からその原反が解けて供給される。光学フィルム１２は、単一パネルに対応するレイアウトに裁断される必要があり、この時に用いられる裁断としては、表面保護フィルム１２２、偏光フィルム１２１、キャリアフィルム１２３を完全切断するフルカット（ｆｕｌｌ−ｃｕｔｔｉｎｇ）方式ではなく、表面保護フィルム１２２側に切り込んで偏光フィルム１２１は切断し、キャリアフィルム１２３は切込み線Ｃの前後に連結される形態で残すハーフカット（ｈａｌｆ−ｃｕｔｔｉｎｇ）方式が利用できる。
【００３３】
本発明の一実施形態によるディスプレイユニットの製造方法は、光学フィルムを非線形ラインを含むパネルのレイアウトに対応するように裁断しなければならないため、裁断手段として、線形移動裁断に好適な円形ブレード切断ユニットよりは非線形移動裁断も容易に可能なレーザ切断ユニットＬを用いることが好ましい。
【００３４】
図３は、本発明の一実施形態によるディスプレイユニットの製造方法の工程流れを説明するためのブロック図であり、図４は、本発明の一実施形態により光学フィルムに第１整列マークを形成する様々な例に対する模式図であり、図５は、本発明の一実施形態により光学フィルムに裁断ラインを形成する一例の模式図であり、図６は、本発明の一実施形態により光学フィルムおよびパネルを整列させ、光学フィルムをパネルにラミネートする過程の一例を説明するための模式図である。
【００３５】
本発明の一実施形態によるディスプレイユニットの製造方法は、光学フィルム準備ステップ（Ｓ１００）、第１整列マーク形成ステップ（Ｓ２００）、裁断ライン形成ステップ（Ｓ３００）、第２整列マークが形成されたパネル準備ステップ（Ｓ４００）、光学フィルムおよびパネル整列ステップ（Ｓ５００）、および光学フィルムラミネートステップ（Ｓ６００）を含むことができる。
【００３６】
光学フィルム準備ステップ（Ｓ１００）は、ディスプレイユニットの製造方法に用いられる光学フィルム１２を準備し、このような光学フィルム１２は、前述したように、偏光フィルム１２１と、偏光フィルム１２１の一面側に配置される表面保護フィルム１２２と、偏光フィルム１２１の他面側に配置されるキャリアフィルム１２３と、を備える構造であってもよい。
【００３７】
第１整列マーク形成ステップ（Ｓ２００）は、光学フィルム上に第１整列マークを形成するステップであり、それにより形成された第１整列マーク（Ｍ１１、Ｍ１２）は、後述する裁断ラインの開始位置を決定するための基準、および後述する第２整列マークとの位置関係を決定するための基準として利用できる。第１整列マークは、マーキング装置（図示せず）によって、十字形のマークまたは一方向に長く延びる直線形のマークに形成されることができる。ここで、第１整列マークは、表面保護フィルム１２２およびキャリアフィルム１２３のいずれか一つに形成されることが好ましい。より好ましくは、第１整列マークは、キャリアフィルム１２３に形成されることができる。キャリアフィルム１２３はパネル１１にラミネート時に偏光フィルム１２１から剥離されるため、製造されるディスプレイユニット上から第１整列マーク（Ｍ１１、Ｍ１２）を除去する別途の工程を経なくてもよいという長所がある。
【００３８】
一方、製造しようとするディスプレイユニットの形態が図１の（ａ）に示すように非線形ラインのみからなる場合であれば、パネル１１のレイアウトおよび裁断ラインＣＬは非線形ラインのみからなり、この時、第１整列マークを形成するステップにおいては、少なくとも２個の第１整列マーク（Ｍ１１、Ｍ１２）を形成することが好ましい。その後の裁断によって形成される裁断ラインはいずれも非線形ラインとして直線区間が存在しないため、裁断ラインのうち直線区間を整列の基準情報として活用することが困難であるためである。
【００３９】
第１整列マークは、図４の（ａ）に示すように、少なくとも２個の十字形のマーク（Ｍ１１ａ、Ｍ１２ａ）に形成されてもよく、図４の（ｂ）、（ｃ）に示すように、少なくとも１個の十字形のマーク（Ｍ１１ｂ；Ｍ１１ｃ）と少なくとも１個の直線形のマーク（Ｍ１２ｂ；Ｍ１２ｃ）に形成されてもよく、図４の（ｄ）に示すように、互いに垂直に配置された少なくとも２個の直線形のマーク（Ｍ１１ｄ、Ｍ１２ｄ）に形成されてもよい。
【００４０】
裁断ライン形成ステップ（Ｓ３００）は、第１整列マークの位置を基に光学フィルム上に予め定められた閉曲線レイアウトに対応する裁断ラインを形成することができる。ここで、予め定められた閉曲線レイアウトとは、非線形ラインを含むレイアウトを有するディスプレイユニットを製造するために必要な上記非線形ラインを含むレイアウトと対応するレイアウトであってもよい。そして、裁断ラインを形成するために非線形ラインを含む閉曲線レイアウトは、パネルの非線形ラインを含む閉曲線レイアウトよりはそのサイズが小さくてもよい。
【００４１】
ここで、裁断ラインを形成するための裁断開始位置Ｓは、画像装置（図示せず）によって検出および演算された第１整列マークの位置を基に決定されることができる。例えば、図４の（ａ）、（ｂ）、（ｃ）および（ｄ）のように、第１整列マーク（Ｍ１１ａ、Ｍ１２ａ；Ｍ１１ｂ、Ｍ１２ｂ；Ｍ１１ｃ、Ｍ１２ｃ；Ｍ１１ｄ、Ｍ１２ｄ）の位置に対してｘ軸方向および／またはｙ軸方向（図４基準）に予め定められた距離（△ｘ１、△ｘ２、△ｙ１、△ｙ２）だけ離隔している位置を裁断開始位置Ｓに決定することができる。
【００４２】
以下では、図３の（ａ）に示された形態の第１整列マーク（Ｍ１１ａ、Ｍ１２ａ）が形成されている光学フィルム１２を例に挙げて、その後の工程について説明する。
【００４３】
裁断ライン形成ステップ（Ｓ３００）は、第１整列マーク（Ｍ１１ａ、Ｍ１２ａ）の位置を基に決定された裁断開始位置Ｓを基点にレーザ切断ユニット（図示せず）を用いてハーフカット（ｈａｌｆ  ｃｕｔｔｉｎｇ）方式で裁断ラインＣＬを形成することができる。このように形成された裁断ラインＣＬによって囲まれた内部は、第１整列マーク（Ｍ１１ａ、Ｍ１２ａ）を含まなくてもよい。
【００４４】
第２整列マークが形成されたパネル準備ステップ（Ｓ４００）は、第１整列マーク（Ｍ１１ａ、Ｍ１２ａ）との位置比較が可能な第２整列マーク（Ｍ２１ａ、Ｍ２２ａ）が形成されたパネル１１を準備することができる。ここで、第２整列マーク（Ｍ２１ａ、Ｍ２２ａ）は、第１整列マークと同様に、十字形のマーク、直線形のマークなどに形成されることができる。
【００４５】
光学フィルムおよびパネル整列ステップ（Ｓ５００）は、第１整列マークおよび第２整列マークの位置を基に光学フィルムおよびパネルのうち少なくともいずれか一つを他の一つに整列させることができる。
【００４６】
光学フィルムおよびパネルの好ましい整列のために、第１整列マークおよび第２整列マークは、予め定められた位置関係が定められていてもよい。例えば、予め定められた位置関係は、図６の（ｂ）に示された形態のように、左側の第１整列マーク（Ｍ１１ａ）と第２整列マーク（Ｍ２１ａ）グループに対して互いにｘ軸方向に△ｘ１１だけ離隔し、ｙ軸方向に△ｙ１１だけ離隔しなければならない情報に定められていてもよく、右側の第１整列マーク（Ｍ１２ａ）と第２整列マーク（Ｍ２２ａ）グループに対して互いにｘ軸方向に△ｘ１２だけ離隔し、ｙ軸方向に△ｙ１２だけ離隔しなければならない情報に定められていてもよい。
【００４７】
光学フィルム１２がパネル１１にラミネートされる前に光学フィルムとパネルの位置関係が図６の（ａ）に示されたような形態であれば、画像装置（図示せず）によって検出および演算されて導出された第１整列マーク（Ｍ１１ａ、Ｍ１２ａ）、第２整列マーク（Ｍ２１ａ、Ｍ２２ａ）の位置情報を基に第１整列マーク（Ｍ１１ａ、Ｍ１２ａ）および第２整列マーク（Ｍ２１ａ、Ｍ２２ａ）が互いに予め定められた位置関係を有することができるように光学フィルム１２およびパネル１１のうち少なくとも一つを平面基準に回転および並進移動させ、図６の（ｂ）に示すように、光学フィルム１２およびパネル１１が整列できるようにする。
【００４８】
その後、光学フィルムラミネートステップ（Ｓ６００）は、裁断ラインＣＬが形成された加工後の光学フィルム１２をパネル１１にラミネートすることができる。ラミネートは、図６の（ｃ）に示すように、加工後の光学フィルム１２からキャリアフィルム１２３を剥離した後に、ラミネート装置（図示せず）を用いて行われることができる。
【００４９】
図７は、本発明の他の実施形態により光学フィルムに第１整列マークを形成する一例に対する模式図であり、図８は、本発明の他の実施形態により光学フィルムに裁断ラインを形成する一例の模式図であり、図９は、本発明の他の実施形態により光学フィルムおよびパネルを整列させ、光学フィルムをパネルにラミネートする過程の一例を説明するための模式図である。
【００５０】
本発明の他の実施形態は、構成および効果が一実施形態と大半が同様であるため、差のある部分を中心に説明することにする。
【００５１】
本発明の他の実施形態に用いられるディスプレイユニットの形態は、図１の（ｂ）に示すように非線形ラインおよび直線形ラインの組み合わせによるレイアウトを有することができ、この場合、パネル１１のレイアウトおよび裁断ラインＣＬも非線形ラインおよび直線形ラインの組み合わせによるレイアウトを有することになる。
【００５２】
第１整列マーク形成ステップ（Ｓ２００）は、他の実施形態において、整列のための第１整列マーク（Ｍ１１ｅ）を図７に示すように一つのみ形成してもよい。
【００５３】
裁断ライン形成ステップ（Ｓ３００）において、裁断ラインを形成するための裁断開始位置Ｓは、画像装置（図示せず）によって検出および演算された第１整列マークの位置を基に決定されることができる。例えば、図８のように、第１整列マーク（Ｍ１１ｅ）の位置に対してｘ軸方向および／またはｙ軸方向（図８基準）に予め定められた距離（△ｘ１、△ｙ１）だけ離隔している位置を裁断開始位置Ｓに決定することができる。
【００５４】
裁断ライン形成ステップ（Ｓ３００）は、第１整列マーク（Ｍ１１ｅ）の位置を基に決定された裁断開始位置Ｓを基点にレーザ切断ユニット（図示せず）を用いてハーフカット（ｈａｌｆ  ｃｕｔｔｉｎｇ）方式で裁断ラインＣＬを形成することができる。このように形成された裁断ラインＣＬによって囲まれた内部は、第１整列マーク（Ｍ１１ｅ）を含まなくてもよい。
【００５５】
第２整列マークが形成されたパネル準備ステップ（Ｓ４００）は、第１整列マーク（Ｍ１１ｅ）との位置比較が可能な第２整列マーク（Ｍ２１ｅ）が形成されたパネル１１を準備することができる。ここで、第２整列マーク（Ｍ２１ｅ）は、第１整列マーク（Ｍ１１ｅ）と同様に一つのみ備えてもよい。
【００５６】
光学フィルムおよびパネル整列ステップ（Ｓ５００）は、第１整列マークおよび第２整列マークの位置を基に光学フィルムおよびパネルのうち少なくともいずれか一つを他の一つに整列させることができる。このような整列のために、パネル１０のレイアウトのうち第１直線区間１１０および裁断ラインＣＬのレイアウトのうち第１直線区間１１０と対応する第２直線区間１２０も追加的に利用することができる。
【００５７】
光学フィルムおよびパネルの好ましい整列のために、第１整列マークおよび第２整列マークは予め定められた位置関係が定められていてもよく、第１直線区間および第２直線区間も予め定められた位置関係が定められていてもよい。例えば、予め定められた位置関係は、図９の（ｂ）に示された形態のように、第１整列マーク（Ｍ１１ｅ）と第２整列マーク（Ｍ２１ｅ）グループに対して互いにｘ軸方向に△ｘ１１だけ離隔し、ｙ軸方向に△ｙ１１だけ離隔しなければならない情報に定められていてもよく、第１直線区間１１０および第２直線区間１２０グループに対して互いに平行しなければならない情報に定められていてもよい。
【００５８】
光学フィルム１２がパネル１１にラミネートされる前に光学フィルムとパネルの位置関係が図９の（ａ）に示されたような形態であれば、画像装置（図示せず）によって検出および演算されて導出された第１整列マーク（Ｍ１１ｅ）、第２整列マーク（Ｍ２１ｅ）の位置情報を基に第１整列マーク（Ｍ１１ｅ）および第２整列マーク（Ｍ２１ｅ）が互いに予め定められた位置関係を有することができるように光学フィルム１２およびパネル１１のうち少なくとも一つを平面基準に回転および並進移動させ、図９の（ｂ）に示すように、光学フィルム１２およびパネル１１が整列できるようにする。
【００５９】
その後、光学フィルムラミネートステップ（Ｓ６００）は、裁断ラインＣＬが形成された加工後の光学フィルム１２をパネル１１にラミネートすることができる。ラミネートは、図９の（ｃ）に示すように、加工後の光学フィルム１２からキャリアフィルム１２３を剥離した後に、ラミネート装置（図示せず）を用いて行われることができる。
【００６０】
本発明の実施形態によるディスプレイユニットの製造方法は、光学フィルム上に第１整列マークを形成した後、第１整列マークを基に光学フィルム上に予め定められた閉曲線レイアウトに対応する裁断ラインを形成するため、光学フィルム上で第１整列マークに対して一定の位置に裁断ラインが形成されると同時に、第１整列マークと第２整列マークを基に裁断ラインにより特定される、ラミネートしようとする光学フィルム領域とパネルを互いに整列することができるため、ラミネート前の非線形ラインを含むレイアウトを有するパネルと裁断ラインが形成された加工後の光学フィルムとを容易に整列できるという長所がある。
【００６１】
以上、本発明を上記で言及された好ましい実施形態と関連して説明したが、本発明の要旨と範囲から逸脱せずに様々な修正や変形が可能である。したがって、添付された特許請求の範囲には、本発明の要旨に属する限りこのような修正や変形を含むものであろう。
【符号の説明】
【００６２】
１０ａ、１０ｂ  ・・・ディスプレイユニット
１１、１１ａ、１１ｂ  ・・・パネル
１２、１２ａ、１２ｂ  ・・・光学フィルム
１２１  ・・・偏光フィルム
１２２  ・・・表面保護フィルム
１２３  ・・・キャリアフィルム
ＣＬ  ・・・裁断ライン
Ｍ１１ａ、Ｍ１２ａ、Ｍ１１ｂ、Ｍ１２ｂ、Ｍ１１ｃ、Ｍ１２ｃ、Ｍ１１ｄ、Ｍ１２ｄ  ・・・第１整列マーク
Ｍ２１ａ、Ｍ２２ａ  ・・・第２整列マーク
【図１（ａ）】
2021500633.tif 000003
【図１（ｂ）】
2021500633.tif 000004
【図２（ａ）】
2021500633.tif 000005
【図２（ｂ）】
2021500633.tif 000006
【図３】
2021500633.tif 000007
【図４】
2021500633.tif 000008
【図５】
2021500633.tif 000009
【図６】
2021500633.tif 000010
【図７】
2021500633.tif 000011
【図８】
2021500633.tif 000012
【図９】
2021500633.tif 000013
【手続補正書】
【提出日】令和2年4月27日(2020.4.27)
【手続補正１】
【補正対象書類名】図面
【補正対象項目名】図６
【補正方法】変更
【補正の内容】
【図６】
2021500633.tif 000014
【手続補正２】
【補正対象書類名】図面
【補正対象項目名】図８
【補正方法】変更
【補正の内容】
【図８】
2021500633.tif 000015
【国際調査報告】
2021500633.tif 000016
2021500633.tif 000017
2021500633.tif 000018
2021500633.tif 000019